(57)【特許請求の範囲】
【請求項１】
筆記具本体の内部にインキタンクを交換可能に収容したインキタンク交換式筆記具であって、筆記具本体が、前端にペン先を備えた軸筒と、前記軸筒の後端開口部に着脱自在に取り付けられる筒状の尾栓とからなり、インキタンクの前端部を軸筒の後端開口部から軸筒の内部に挿着し、前記インキタンクの後端部を軸筒の後端開口部より後方に突出させ、軸筒の後端開口部に尾栓を取り付け、前記尾栓の内部にインキタンクの後端部を収容し、軸筒の後端部外周面及び尾栓の外周面を筒状の熱収縮性フィルムで被覆し、前記熱収縮性フィルムの前端を軸筒の後端部外周面に位置させるとともに、前記熱収縮性フィルムの後端を尾栓の外周面に位置させ、軸筒の後端の外径を、熱収縮性フィルムの前端が位置する軸筒の後端部外周面の外径よりも大きく設定し、且つ、尾栓の前端の外径を、熱収縮性フィルムの後端が位置する尾栓の外周面の外径よりも大きく設定したことを特徴とするインキタンク交換式筆記具。
【請求項２】
軸筒の後端部外周面または尾栓の外周面に周方向に不連続な突起を設け、前記突起を熱収縮性フィルムで被覆してなり、前記突起が、非環状の突起からなる請求項１記載のインキタンク交換式筆記具。
【請求項３】
軸筒の後端部外周面または尾栓の外周面のうちで前記突起を備えない側の外周面と、熱収縮性フィルムの内周面との間を、熱可塑性の接着剤を介して接着してなる請求項２記載のインキタンク交換式筆記具。
【発明の詳細な説明】
【技術分野】
【０００１】
本発明は、インキタンク交換式筆記具に関する。
【背景技術】
【０００２】
従来この種の筆記具おいて、特許文献１には、内部に収容するインキを外観可能となすよう透明性を有する材質からなるインキタンクと、筆記具本体に対して着脱可能となす取り付け部とから少なくともなるリフィルを筆記具本体に取り付けてなるリフィル交換式筆記具において、前記筆記具本体はその後部に開放孔を形成し、この開放孔より前記インキタンクを突出させてなるリフィル交換式筆記具が開示されている。
【０００３】
【特許文献１】実開平６−８６９７５号公報
【発明の開示】
【発明が解決しようとする課題】
【０００４】
前記特許文献１の筆記具は、インキタンクが筆記具本体より後方に突出しているため、落下等の衝撃や不用意な接触等によって、インキタンクが筆記具本体との結合部分から外れ、それにより、インキタンク内のインキが外部に漏出するおそれがある。
【０００５】
本発明は前記従来の問題点を解決するものであって、落下衝撃や不用意な接触により、インキタンクが筆記具本体との結合部分から外れることを防止でき、さらに、インキタンク内のインキを完全に消費する前に、尾栓及びインキタンクの不用意な取り外しによって外部にインキが漏出してしまうことを抑止できるインキタンク交換式筆記具を提供しようとするものである。尚、本発明において、「前」とはペン先側を指し、「後」とはインキタンク側を指す。
【課題を解決するための手段】
【０００６】
本願の第１の発明は、筆記具本体２の内部にインキタンク８を交換可能に収容したインキタンク交換式筆記具であって、筆記具本体２が、前端にペン先３を備えた軸筒５と、前記軸筒５の後端開口部に着脱自在に取り付けられる筒状の尾栓７とからなり、インキタンク８の前端部を軸筒５の後端開口部から軸筒５の内部に挿着し、前記インキタンク８の後端部を軸筒５の後端開口部より後方に突出させ、軸筒５の後端開口部に尾栓７を取り付け、前記尾栓７の内部にインキタンク８の後端部を収容し、軸筒５の後端部外周面及び尾栓７の外周面を筒状の熱収縮性フィルム９で被覆し、前記熱収縮性フィルム９の前端を軸筒５の後端部外周面に位置させるとともに、前記熱収縮性フィルム９の後端を尾栓７の外周面に位置させ、軸筒５の後端の外径を、熱収縮性フィルム９の前端が位置する軸筒５の後端部外周面の外径よりも大きく設定し、且つ、尾栓７の前端の外径を、熱収縮性フィルム９の後端が位置する尾栓７の外周面の外径よりも大きく設定したこと（請求項１）を要件とする。
【０００７】
前記第１の発明のインキタンク交換式筆記具１は、尾栓７を軸筒５の後端開口部に取り付け、尾栓７の内部にインキタンク８の後端部を収容する構成により、落下衝撃や不用意な接触によるインキタンク８が脱落すること防止できる。また、前記第１の発明のインキタンク交換式筆記具１は、インキタンク８の後端部を軸筒５の後端開口部より後方に突出させる構成により、インキタンク８の取り外しが容易となる。
【０００８】
さらに、前記第１の発明のインキタンク交換式筆記具１は、軸筒５の後端部外周面及び尾栓７の外周面を、筒状の熱収縮性フィルム９で被覆し、筆記具全体を熱収縮性フィルム９で被覆しない構成のため、ユーザーが購入前に試し書きをすることができ、しかも、購入後も、インキタンク８内のインキが完全に消費する前に、尾栓７及びインキタンク８の不用意な取り外しによって外部にインキが漏出してしまうことを抑止できる。尚、熱収縮性フィルム９の後端が位置する尾栓７の外周面とは、尾栓７の前端部外周面でもよいし、尾栓７の後端部外周面でもよい。尚、本発明で、軸筒５と尾栓７とは、螺合、圧入、嵌入、係合等の手段により、着脱自在に取り付けられる。
【０００９】
【００１０】
前記第１の発明のインキタンク交換式筆記具１は、軸筒５の後端の外径を、熱収縮性フィルム９の前端が位置する軸筒５の後端部外周面の外径よりも大きく設定したことにより、熱収縮性フィルム９の後方への移動を阻止できる。さらに、前記第２の発明のインキタンク交換式筆記具１は、尾栓７の前端の外径を、熱収縮性フィルム９の後端が位置する尾栓７の外周面の外径よりも大きく設定したことにより、熱収縮性フィルム９の前方への移動を阻止できる。即ち、前記第２の発明のインキタンク交換式筆記具１は、軸筒５の後端部外周面及び尾栓７の外周面に被覆状態にある熱収縮性フィルム９が、前後に移動することを阻止でき、熱収縮性フィルム９が軸筒５後端部及び尾栓７から脱落することを防止できる。尚、本発明において、前記軸筒５の後端部外周面の外径及び尾栓７の外周面の外径は、その外周面に、周方向に分散配置される複数の突起（リブを含む）を有する場合、その突起の外接円の直径をいう。
【００１１】
本願の第２の発明は、前記第１の発明において、軸筒５の後端部外周面または尾栓７の外周面に周方向に不連続な突起７３・７４を設け、前記突起７３・７４を熱収縮性フィルム９で被覆してなり、前記突起が、非環状の突起からなること（請求項２）を要件とする。
【００１２】
前記第２の発明のインキタンク交換式筆記具１は、軸筒５の後端部外周面または尾栓７の外周面に周方向に不連続な突起７３・７４を設け、前記突起７３・７４を熱収縮性フィルム９で被覆してなることにより、前記周方向に不連続な突起７３・７４が、熱収縮性フィルム９に食いついて、熱収縮性フィルム９が軸筒５または尾栓７に対して空回りすることを防止できる。尚、前記第２の発明において、前記軸筒５の後端部外周面及び尾栓７の外周面の両方に、周方向に不連続な突起を設けてもよい。前記周方向に不連続な突起とは、非環状の突起であり、例えば、周方向の一箇所に形成される突起またはリブ、周方向に分散配置される複数個の突起またはリブが挙げられる。
【００１３】
本願の第３の発明は、前記２の発明において、軸筒５の後端部外周面または尾栓７の外周面のうちで一方が前記突起７３・７４を備えない構成とし、前記突起７３・７４を備えない側の外周面と、熱収縮性フィルム９の内周面との間を、熱可塑性の接着剤９１を介して接着してなること（請求項３）を要件とする。
【００１４】
前記第３の発明のインキタンク交換式筆記具１は、軸筒５の後端部外周面または尾栓７の外周面のうちで前記突起７３・７４を備えない側の外周面と、熱収縮性フィルム９の内周面との間を、熱可塑性の接着剤９１を介して接着してなることにより、熱収縮性フィルム９が軸筒５または尾栓７に対して空回りすることを防止でき、その結果、尾栓７を軸筒５に対して取り外そうとしても、熱収縮性フィルム９を破断しない限り、容易には取り外すことができず、尾栓７の不用意な取外しを防止できる。また、前記第３の発明のインキタンク交換式筆記具１は、接着剤９１として熱可塑性の接着剤９１を採用することにより、熱収縮性フィルム９を熱収縮する際の加熱により、接着剤９１を活性化させ、熱収縮性フィルム９を適正に接着させることができる。尚、前記第３の発明において、熱可塑性の接着剤９１を、軸筒５の後端部外周面及び尾栓７の外周面と、熱収縮性フィルム９内周面との間に設けてもよい。
【００１５】
【００１６】
【００１７】
【００１８】
【００１９】
【発明の効果】
【００２０】
本発明は、落下衝撃や不用意な接触によるインキタンクが脱落すること防止でき、さらに、ユーザーが購入前に試し書きをすることができ、しかも、購入後も、インキタンク内のインキが完全に消費する前に、尾栓及びインキタンクの不用意な取り外しによって外部にインキが漏出してしまうことを抑止できる。
【発明を実施するための最良の形態】
【００２１】
本発明の実施の形態のインキタンク交換式筆記具１を図１及び図４に示す。
本実例の形態のインキタンク交換式筆記具１は、ペン先３と、前記ペン先３の後端に接続されるインキ吸蔵体４と、前記インキ吸蔵体４の後方に配置される中間部材６と、前記中間部材６の後方に配置されるインキタンク８と、前端部で前記ペン先３を保持し且つ内部に前記インキ吸蔵体４、前記中間部材６、及び前記インキタンク８前部を収容する軸筒５と、前記軸筒５の後端開口部に着脱自在に螺着される尾栓７と、前記軸筒５の後端部外周面及び尾栓７の外周面を被覆する熱収縮性フィルム９とからなる。本実施の形態で、筆記具本体２が、軸筒５と尾栓７とからなり、筆記具本体２の内部にインキタンク８が交換可能に収容される。
【００２２】
・ペン先
前記ペン先３は、合成樹脂製繊維（例えば、ポリエステル繊維、アクリル繊維、ナイロン繊維等）の樹脂加工により得られる棒状体である。前記ペン先３の前端は、砲弾状に研削される。前記ペン先３の後端部外周面は、テーパ状に面取りされる。
【００２３】
・インキ吸蔵体
前記インキ吸蔵体４は、円柱状の合成樹脂製繊維（例えば、ポリエステル繊維）の加工体よりなる。前記インキ吸蔵体４の前端面の軸心にペン先３の後端が突き刺し挿入され、前記ペン先３の後端が前記インキ吸蔵体４の内部前方に位置される。尚、本発明では、前記インキ吸蔵体４を設ける代わりに、ペン先３とインキタンク８との間に、インキタンク８の内圧上昇に応じた溢出インキを一時的に保持する櫛歯状のインキ保溜部材を設けてもよい。
【００２４】
・軸筒
前記軸筒５は、合成樹脂（例えば、ポリプロピレン、ポリエチレン等）の射出成形により得られる筒状体である。前記軸筒５の先細状の前端部にペン先３の外周面が保持され、前記軸筒５の後端開口部内周面に雌ネジ部５１が形成される。軸筒５の後端部外周面は、後方に向かうに従い次第に外径が大きくなるテーパ面よりなる。即ち、軸筒５の後端の外径を、熱収縮性フィルム９の前端が位置する軸筒５の後端部外周面の外径よりも大きく設定する。
【００２５】
・中間部材
前記中間部材６は、合成樹脂（例えば、ポリプロピレン、ポリエチレン等）の射出成形より得られる。前記中間部材６は、前記インキ吸蔵体４とインキタンク８とを区画する隔壁６１と、前記隔壁６１の前面より前方に突出され且つインキ吸蔵体４の内部に突き刺し接続される複数本（具体的には２本）の連通管６２と、前記隔壁６１の後面より後方に突出され且つインキタンク８の前端開口部に挿着される接続管６３と、前記隔壁６１の前面より前方または前記隔壁６１の後面より後方に突出し且つ軸筒５内面（本体部内面）に固着される取付筒部６４とを備える。前記接続管６３には栓体８１の片側を押圧するため突片６３ａが一体に形成される。前記隔壁６１の前面には、板状のリブよりなる規制壁部６１ａが一体に形成される。前記規制壁部６１ａがインキ吸蔵体４４の後端面と当接される。
【００２６】
・インキタンク
前記インキタンク８は、前端が開口され且つ後端が閉鎖された有底筒状体であり、透明または半透明の合成樹脂（例えばポリプロピレン）の射出成形またはブロー成形により得られる。前記インキタンク８内には、直にインキが貯溜される。前記インキタンク８内に貯溜されるインキは、具体的には、筆記具用インキ（例えば、水性インキ、油性インキ）または塗布液（例えば、化粧液、修正液、接着剤、塗料、液体医薬品等）が挙げられる。
【００２７】
前記インキタンク８の前端開口部内面には、中間部材６の接続管６３外面が着脱自在に嵌着される。前記インキタンク８のインキが消費され筆記不能となった場合、前記インキタンク８を接続管６３から取り外し、インキが充填された新たなインキタンク８を軸筒５の後端開口部から軸筒５内部に挿入し、前記新たなインキタンク８の前端開口部に接続管６３を挿着する。それにより、再び、筆記可能となる。前記新たなインキタンク８の前端開口部は、接続管６３を挿着する前において、栓体８１により閉鎖されている。接続管６３をインキタンク８の前端開口部に挿着した際、前記接続管６３の突片６３ａが栓体８１を後方に押圧し、栓体８１を外し、インキタンク８の前端開口部が開栓される。前記インキタンク８を軸筒５内部に挿着した状態において、前記インキタンク８の後端部が軸筒５の後端開口部より後方に突出される。
【００２８】
・尾栓
前記尾栓７は、前端が開口され且つ後端が閉鎖された有底筒状体からなり、透明または半透明の合成樹脂（例えばポリプロピレン）の射出成形により得られる。軸筒５の後端開口部に尾栓７を取り付けた状態において、前記尾栓７の内部にインキタンク８の後端部が収容される。
【００２９】
前記尾栓７の前部外周面には、雄ネジ部７１が形成され、前記雄ネジ部７１が軸筒５の後端開口部内周面の雌ネジ部５１と着脱可能に螺合される。前記雄ネジ部７１の後方の尾栓７の外周面には、環状の鍔部７２が形成される。前記鍔部７２の外周面の一部には、突起７３（即ち周方向に不連続な突起）が形成される。前記鍔部７２の後方の尾栓７の外周面には、軸方向に延びる複数本（例えば４本）のリブ７４（即ち周方向に不連続な突起）が等間隔に形成される。前記尾栓７の前端の外径（即ち鍔部７２の外径）を、熱収縮性フィルム９の後端が位置する尾栓７の外周面の外径（リブ７４の外接円の外径）よりも大きく設定する。
【００３０】
前記尾栓７及びインキタンク８は透明または半透明の合成樹脂からなるため、外部よりインキタンク８内を視認でき、インキタンク８内のインキ色及びインキ残量の視認が可能となる。
【００３１】
前記リブ７４により、尾栓７を軸筒５に螺合する際の滑り止めがなされる。前記突起７３は、転がり防止機能を有し、軸筒５の外周面から後方に延ばした延長線より径方向外方に突出される。
【００３２】
・熱収縮性フィルム
前記熱収縮性フィルム９は、筒状の透明合成樹脂（例えばポリエチレンテレフタレート）製のフィルムからなる。前記熱収縮性フィルム９の内周面の一部には、熱可塑性の接着剤が付着される。前記接着剤は、常温では固化した状態にあり、熱収縮性フィルム９が熱収縮する際、加熱により活性化する。前記熱収縮性フィルム９は、熱収縮により、軸筒５の後端部外周面及び尾栓７の外周面（鍔部７２、突起７３、リブ７４を含む領域）を被覆し、軸筒５の後端部外周面及び尾栓７の外周面に密着する。軸筒５の後端部外周面は、周方向に不連続な突起を備えず、前記軸筒５の後端部外周面と熱収縮性フィルム９の内周面との間が、熱可塑性の接着剤を介して接着される。
【００３３】
前記熱収縮性フィルム９を軸筒５の後端部外周面及び尾栓７の外周面に被覆した状態において、前記熱収縮性フィルム９の前端が軸筒５の後端部外周面に位置し、前記熱収縮性フィルム９の後端が尾栓７の外周面に位置する。
【００３４】
本発明の実施の形態では、軸筒５の後端部外周面及び尾栓７の外周面を筒状の熱収縮性フィルム９で被覆し、筆記具全体を熱収縮性フィルム９で被覆しないため、ユーザーが購入前に試し書きすることができ、しかも、購入後も、インキタンク８内のインキが完全に消費する前に、尾栓７及びインキタンク８の不用意な取り外しによって外部にインキが漏出してしまうことを抑止できる。
【００３５】
本発明の実施の形態では、軸筒５の後端の外径を、熱収縮性フィルム９の前端が位置する軸筒５の後端部外周面の外径よりも大きく設定し、且つ、尾栓７の前端の外径（鍔部７２の外径）を、熱収縮性フィルム９の後端が位置する尾栓７の外周面の外径（リブ７４の外接円の直径）よりも大きく設定したことにより、軸筒５の後端部外周面及び尾栓７の外周面に被覆状態にある熱収縮性フィルム９が、前後に移動することを阻止でき、熱収縮性フィルム９が軸筒５後端部及び尾栓７から脱落することを防止できる。
【００３６】
本発明の実施の形態では、尾栓７の外周面に周方向に不連続な突起（即ち、突起７３及びリブ７４）を設け、前記不連続な突起７３・７４を熱収縮性フィルム９で被覆してなることにより、前記周方向に不連続な突起７３・７４が、熱収縮性フィルム９に食いついて、熱収縮性フィルム９が軸筒５または尾栓７に対して空回りすることを防止できる。
【００３７】
本発明の実施の形態では、軸筒５の後端部外周面と熱収縮性フィルム９の内周面との間を、熱可塑性の接着剤を介して接着してなることにより、熱収縮性フィルム９が軸筒５に対して空回りすることを防止でき、その結果、尾栓７を軸筒５に対して取り外そうとしても、熱収縮性フィルム９を破断しない限り、容易には取り外すことができず、尾栓７の不用意な取外しを防止できる。
【００３８】
本発明の実施の形態では、インキタンク交換時、前記尾栓７を軸筒５の後端部から螺着状態を緩めて取り外し、前記インキタンク８を取り外した後、新たなインキタンク８を軸筒５内に挿入するとともに、尾栓７を軸筒５後端部に再び螺合する。
【図面の簡単な説明】
【００３９】
【図１】本発明の実施の形態の正面図である。
【図２】図１の縦断面図である。
【図３】図２のＡ−Ａ線断面図である。
【図４】図２のＢ−Ｂ線断面図である。
【符号の説明】
【００４０】
１  インキタンク交換式筆記具
２  筆記具本体
３  ペン先
４  インキ吸蔵体
５  軸筒
５１  雌ネジ部
６  中間部材
６１  隔壁
６１ａ  規制壁部
６２  連通管
６３  接続管
６３ａ  突片
６４  取付筒部
７  尾栓
７１  雄ネジ部
７２  鍔部
７３  突起
７４  リブ
８  インキタンク
８１  栓体
９  熱収縮性フィルム
９１  接着剤
【図１】
0004934554.tif 000002
【図２】
0004934554.tif 000003
【図３】
0004934554.tif 000004
【図４】
0004934554.tif 000005